(57)【要約】      （修正有）【課題】照明角度を多方面に調整可能な多角度照明装置を提供する。【解決手段】多角度照明装置２００は、台座１０と光源モジュール２０と第１回転軸３０と第２回転軸４０とを備え、第２回転軸は台座の片面に枢接され、台座に対して回転され、また、第１回転軸は光源モジュールに設置されると共に、第２回転軸に枢接され、かつ第１回転軸が第２回転軸に対して縦方向に回動される。【選択図】図４
0003211452.tif 000002
【実用新案登録請求の範囲】
【請求項１】
台座と、光源モジュールと、第１回転軸と、第２回転軸とを備える多角度照明装置であって、
前記第２回転軸は前記台座の片面に枢接され、かつ前記第２回転軸が前記台座に対して回転され、また、前記第１回転軸は、前記光源モジュールに設置されると共に、前記第２回転軸に枢接され、かつ前記第１回転軸が前記第２回転軸に対して縦方向に回動されることを特徴とする、多角度照明装置。
【請求項２】
前記台座は回転機構を有し、前記回転機構の片面には２個の凹部が設けられ、また、前記第２回転軸は２個の凸部を有し、前記第２回転軸は、各前記凸部を介して各前記凹部に対応して嵌め込むことで、前記回転機構に枢接され、かつ前記第２回転軸は前記回転機構を介して回転されることを特徴とする、請求項１に記載の多角度照明装置。
【請求項３】
前記回転機構の片面には、さらに前記２個の凹部と連通する位置決め孔が設けられ、前記第２回転軸は位置決めロッドを有し、かつ前記２個の凸部は前記位置決めロッド上に設置され、前記第２回転軸が前記回転機構に枢接される時、前記位置決めロッドは、前記位置決め孔内に嵌め込まれ、また、各前記凸部は各前記凹部内に嵌め込まれることを特徴とする、請求項２に記載の多角度照明装置。
【請求項４】
前記回転機構の片面には、さらに２個の固定孔が設けられ、前記第２回転軸は、前記位置決めロッドに連結される円盤部材及び２個の係止具を有し、かつ前記円盤部材には２個の位置制限長孔が設けられ、前記位置決めロッドが前記位置決め孔内に嵌め込まれる時、前記円盤部材は前記回転機構に対応して覆い被せられ、かつ各前記係止具は、それぞれ各前記位置制限長孔を通り抜けて各前記固定孔内に締め込まれることを特徴とする、請求項３に記載の多角度照明装置。
【請求項５】
各前記位置制限長孔は、前記円盤部材上に弧状に形成されることを特徴とする、請求項４に記載の多角度照明装置。
【請求項６】
前記台座の片面及び対向他面は、それぞれ前記第２回転軸に枢接されるように供することから、２個の前記光源モジュールは、それぞれ前記第１回転軸を介して前記第２回転軸に枢接されるように供することを特徴とする、請求項１に記載の多角度照明装置。
【請求項７】
前記光源モジュールは、後部筐体とライトボードとランプカバーとを有し、前記後部筐体の外部表面には複数個の放熱フィンが設けられ、前記ライトボードは前記後部筐体の内部表面に設置され、かつ前記ランプカバーは前記後部筐体に連結されて前記ライトボードを包囲することを特徴とする、請求項１に記載の多角度照明装置。
【請求項８】
前記光源モジュールは、さらにガラスと前部筐体とを有し、前記前部筐体は、前記後部筐体に連結されて前記ライトボード及び前記ランプカバーを包覆し、また、前記ガラスは前記前部筐体と前記ランプカバーとの間に設置されることを特徴とする、請求項７に記載の多角度照明装置。
【請求項９】
前記台座の内部には電源ボックスが設けられ、前記電源ボックスには防水コネクタが設けられ、かつ前記台座の外部には通電孔が設けられ、前記通電孔は前記防水コネクタに対応することを特徴とする、請求項１に記載の多角度照明装置。
【請求項１０】
さらに吊掛具を備え、かつ前記台座には、さらに少なくとも１つの吊り掛け用ロック孔が設けられ、当該吊り掛け用ロック孔には前記吊掛具が連結固定されるように供することを特徴とする、請求項１に記載の多角度照明装置。
【考案の詳細な説明】
【技術分野】
【０００１】
本考案は、照明装置に係り、特に、照明角度を多方向に調整可能な多角度照明装置に関する。
【背景技術】
【０００２】
屋外照明灯は、夜間照明に対して非常に重要な設備の一つであり、その殆どが路面上に設置されて前記路面の照明需要を提供することができる。なお、都市建設が徐々に完全になるにつれて、屋外照明灯は、基本的に各条の道路上に設置されるほか、さらに既に公園や広場などの場所にわたって点在しているので、車両を運転する人、運動をする人や止まって乗り物を待つ人はみんな良好な夜間照明の視認性が得られる。
【０００３】
一般的に言えば、屋外照明灯は、主に灯柱と、照明装置とから構成され、図１に示すように、照明装置の構成は、台座１０１と光源モジュール１０２とを備え、光源モジュール１０２は台座１０１に連結され、また、台座１０１は灯柱上に設置され、灯柱を介して電源が前記台座１０１に供給されることで、光源モジュール１０２を発光させることにより、夜間照明の需要を提供することができる。
【考案の概要】
【考案が解決しようとする課題】
【０００４】
しかしながら、従来の照明装置の光源モジュール１０２のいずれも、１個の回転軸１０３のみを介して台座１０１に連結され、また、前記回転軸１０３は縦方向または横方向のうちの単一の方向のみに回動され、この結果、光源モジュール１０２が照明角度を調整する時、より多い制限を受けて、必要に応じて光源を最適な角度範囲に投射することができない。
【０００５】
本考案は、上記のような従来技術の問題点に鑑みてなされたもので、その目的は、照明角度を多方向に調整可能な多角度照明装置を提供することにある。
【課題を解決するための手段】
【０００６】
本考案の目的に従って、本考案は、台座と、光源モジュールと、第１回転軸と、第２回転軸とを備える多角度照明装置を提供するものであり、第２回転軸は台座の片面に枢接され、かつ第２回転軸が台座に対して回転され、また、第１回転軸は、光源モジュールに設置されると共に、第２回転軸に枢接され、かつ第１回転軸が第２回転軸に対して縦方向に回動される。
【０００７】
より好ましくは、台座は回転機構を有し、前記回転機構の片面には２個の凹部が設けられ、また、第２回転軸は２個の凸部を有し、第２回転軸は各凸部を介して各凹部に対応して嵌め込むことで、回転機構に枢接され、かつ第２回転軸は回転機構を介して回転される。
【０００８】
より好ましくは、回転機構の片面には、さらに２個の凹部と連通する位置決め孔が設けられ、第２回転軸は位置決めロッドを有し、かつ２個の凸部は位置決めロッド上に設置され、第２回転軸が回転機構に枢接される時、位置決めロッドは位置決め孔内に嵌め込まれ、また、各凸部は各凹部内に嵌め込まれる。
【０００９】
より好ましくは、回転機構の片面には、さらに２個の固定孔が設けられ、第２回転軸は、位置決めロッドに連結される円盤部材及び２個の係止具を有し、かつ円盤部材には２個の位置制限長孔が設けられ、位置決めロッドが位置決め孔内に嵌め込まれる時、円盤部材は回転機構に対応して覆い被せられ、かつ各係止具はそれぞれ各位置制限長孔を通り抜けて各固定孔内に締め込まれる。
【００１０】
より好ましくは、位置制限長孔は円盤部材上に弧状に形成される。
【００１１】
より好ましくは、台座の片面及び対向他面は、それぞれ第２回転軸に枢接されるように供することから、２個の光源モジュールは、それぞれ第１回転軸を介して第２回転軸に枢接されるように供する。
【００１２】
より好ましくは、光源モジュールは、後部筐体とライトボードとランプカバーとを有し、後部筐体の外部表面には、複数個の放熱フィンが設けられ、ライトボードは後部筐体の内部表面に設置され、かつランプカバーは、後部筐体に連結されてライトボードを包囲する。
【００１３】
より好ましくは、光源モジュールは、さらにガラスと前部筐体とを有し、前部筐体は、後部筐体に連結されてライトボード及びランプカバーを包覆し、また、ガラスは前部筐体とランプカバーとの間に設置される。
【００１４】
より好ましくは、台座の内部には電源ボックスが設けられ、電源ボックスには防水コネクタが設けられ、かつ台座の外部には通電孔が設けられ、前記通電孔は防水コネクタに対応する。
【００１５】
より好ましくは、この多角度照明装置はさらに吊掛具を備え、かつ台座にはさらに少なくとも１つの吊り掛け用ロック孔が設けられ、当該吊り掛け用ロック孔には、吊掛具が連結固定されるように供する。
【図面の簡単な説明】
【００１６】
【図１】従来技術の照明装置を示す概略図である。
【図２】本考案の多角度照明装置の実施例を示す第１概略図である。
【図３】本考案の多角度照明装置の実施例を示す第２概略図である。
【図４】本考案の多角度照明装置の実施例を示す第３概略図である。
【図５】本考案の多角度照明装置の実施例を示す第４概略図である。
【図６】本考案の多角度照明装置の実施例を示す第５概略図である。
【図７】本考案の多角度照明装置の実施例を示す第６概略図である。
【考案を実施するための形態】
【００１７】
本考案をより完全に理解するために、本考案の技術的特徴、内容と長所及びそれが達成できる作用効果については、添付図面を参照して、実施例の表現形式で以下のように詳細に説明される。なお、使用された図面は、単に例示または明細書内容を補助する目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００１８】
図２〜図７を参照し、それらの図は、それぞれ本考案の多角度照明装置の実施例の第１概略図、第２概略図、第３概略図、第４概略図、第５概略図及び第６概略図である。図示のように、本考案の多角度照明装置は、光源モジュールと台座との間に２個の回転軸が装設されることで、光源モジュールを縦方向のみならずに角度調整を行い、さらに円を描く方式で回転させることにより、光源モジュールの調整角度を増加させることができるので、照射光源をさらなる制限なしに所要の角度範囲に投射することができる。
【００１９】
さらに詳細に言えば、本考案の多角度照明装置２００は、台座１０と光源モジュール２０と第１回転軸３０と第２回転軸４０とを備え、第２回転軸４０は台座１０の片面に枢接され、かつ第２回転軸４０が可動的に台座１０に対して回転され、また、第１回転軸３０は光源モジュール２０に設置されると共に第２回転軸４０に枢接され、かつ第１回転軸３０が可動的に第２回転軸４０に対して縦方向に回動される。
【００２０】
さらに、実施例において、台座１０は回転機構１１を有し、前記回転機構１１の片面には、２個の凹部１１１と位置決め孔１１２と２個の固定孔１１３とが設けられ、その中、前記２個の凹部１１１が位置決め孔１１２に連通する。第２回転軸４０は２個の凸部４１と位置決めロッド４２と円盤部材４３と２個の係止具４４とを有し、前記２個の凸部４１は位置決めロッド４２上に設置され、前記位置決めロッド４２が前記円盤部材４３に連結され、かつ円盤部材４３には２個の位置制限長孔４３１が設けられ、より好ましくは、位置制限長孔４３１は円盤部材４３上に弧状に形成される。第２回転軸４０は台座１０の回転機構１１に枢接され、また、その中、円盤部材４３は回転機構１１に対応して覆い被せられ、位置決めロッド４２は位置決め孔１１２内に対応して嵌め込まれ、各凸部４１は各凹部１１１内に対応して嵌め込まれ、かつ各係止具４４はそれぞれ各位置制限長孔４３１を通り抜けて各固定孔１１３内に締め込まれ、これにより、第２回転軸４０が回転機構１１を介して台座１０に対して回転されることで、光源モジュール２０を第２回転軸４０を利用して円を描く方式で回動させることができる。その中、第２回転軸４０を回動させる時、位置制限長孔４３１を利用して係止具４４との当接により位置制限作用が達成される。
【００２１】
上記において、台座１０の片面及び対向他面は、それぞれ第２回転軸４０に枢接されるように供することから、２個の光源モジュール２０は、それぞれ第１回転軸３０を介して第２回転軸４０に枢接されるように供することができ、簡単に言えば、図６に示すように、１個の台座１０には２個の光源モジュール２０が枢接されるように用いられる。
【００２２】
またさらに、台座１０の内部には電源ボックス（図示せず）が設けられ、前記電源ボックス上には防水コネクタ（図示せず）が設けられ、かつ台座１０の外部には通電孔１２が設けられ、前記通電孔１２は前記防水コネクタに対応し、これにより、電源ケーブルは、前記通電孔１２に挿入して防水コネクタに電気的に接続されることで、電力を電源ボックスへ出力することから、台座１０の内部の電源ボックスを介して電力が各光源モジュール２０に供給される。
【００２３】
上記において、光源モジュール２０は、主に後部筐体２１とライトボード２２とランプカバー２３とを有し、後部筐体２１の外部表面には複数個の放熱フィン２１１が設けられ、ライトボード２２は後部筐体２１の内部表面に設置され、かつ少なくとも１つの発光源が設置されるように供し、また、ランプカバー２３は後部筐体２１に連結されてライトボード２２を包囲する。この他、前記光源モジュール２０は、さらにガラス２４と前部筐体２５とを有し、前部筐体２５は、後部筐体２１に連結されてライトボード２２及びランプカバー２３を包覆し、また、ガラス２４は前部筐体２５とランプカバー２３との間に設置される。
【産業上の利用可能性】
【００２４】
本考案の多角度照明装置２００は、１本の灯柱３００上に装設されることから、屋外照明灯になるように組み立てられて夜間照明を提供することができる。さらに、前記多角度照明装置２００は、さらに吊掛具５０を備え、かつ台座１０には、さらに少なくとも１つの吊り掛け用ロック孔１３が設けられ、当該吊り掛け用ロック孔１３には、吊掛具５０が連結固定されるように供することができ、これにより、本考案の多角度照明装置２００は、前記吊掛具５０を利用して、例えば、灯柱３００などの設備上に連結設置される。
【００２５】
以上の説明をまとめると、本考案の多角度照明装置は、従来の技術を突破し得るものであり、確実に促進しようとする作用効果を達成し、かつ当前記分野の技術を熟知する者が容易に想到できたものではなく、さらに本考案は、出願前未公開のものであり、かつその具備する進歩性、実用性は明らかに実用新案の出願要件を満たすものなので、実用新案法の規定に従って、実用新案登録出願を提出する。貴庁が、考案を奨励するために、本願考案につき、何卒ご審査の上、実用新案登録すべき旨のご決定を賜りますよう、お願い申し上げます。
【００２６】
以上述べてきた実施例は、あくまでも、本考案の技術的思想及びその特点を明らかにするものであって、その目的としては、当前記分野の技術を熟知する者が本考案の内容を理解してそれに基づいて実施することができることにあり、本考案の請求範囲になんらの制限を加わるものではない。即ち、本考案に開示された精神のもとになされた同等効果の変更または修飾は、いずれも本考案の請求範囲に含まれるものとする。
【符号の説明】
【００２７】
１０１，１０：台座
１０２，２０：光源モジュール
１０３：回転軸
２００：多角度照明装置
１１：回転機構
１１１：凹部
１１２：位置決め孔
１１３：固定孔
１２：通電孔
１３：吊り掛け用ロック孔
２１：後部筐体
２１１：放熱フィン
２２：ライトボード
２３：ランプカバー
２４：ガラス
２５：前部筐体
３０：第１回転軸
４０：第２回転軸
４１：凸部
４２：位置決めロッド
４３：円盤部材
４３１：位置制限長孔
４４：係止具
５０：吊掛具
３００：灯柱
【図１】
0003211452.tif 000003
【図２】
0003211452.tif 000004
【図３】
0003211452.tif 000005
【図４】
0003211452.tif 000006
【図５】
0003211452.tif 000007
【図６】
0003211452.tif 000008
【図７】
0003211452.tif 000009